(57)【特許請求の範囲】
【請求項１】
ガイド部と、第一の開口と、第二の開口とを備え、前記ガイド部は両側壁を有し、前記両側壁の底縁は密閉構造であり、前記第一の開口及び前記第二の開口が前記ガイド部の両端にそれぞれ位置するガイド本体と、
前記ガイド本体の前記第一の開口と前記第二の開口との間に配置される２つの接続手段と、
前記２つの接続手段の少なくとも一部に設けられる接着層と、
を含み、利用者が使用する時に指が前記接着層に接触し、前記ガイド本体の前記両側壁の底縁から離れた部分は開放構造である、携帯式導尿器。
【請求項２】
前記２つの接続手段は、それぞれが折れ曲がった翼状部であり、前記折れ曲がった翼状部は前記両側壁からそれぞれ延びることを特徴とする請求項１に記載の携帯式導尿器。
【請求項３】
前記接続手段の一端は、それぞれ前記両側壁の外側又は内側に固定されることを特徴とする請求項１に記載の携帯式導尿器。
【請求項４】
前記２つの接続手段の上縁延長線と前記両側壁の底縁延長線とが成す角度が、いずれも鈍角であることを特徴とする請求項１に記載の携帯式導尿器。
【請求項５】
前記第一の開口の前記２つの接続手段に近接する箇所に受け取り部が設けられ、前記受け取り部の上縁延長線が前記両側壁の底縁延長線と略平行であることを特徴とする請求項１に記載の携帯式導尿器。
【請求項６】
前記携帯式導尿器は、前記両側壁の底縁と前記第一の開口又は前記第二の開口との間に設けられるストッパ部をさらに含むことを特徴とする請求項１に記載の携帯式導尿器。
【請求項７】
前記携帯式導尿器は、前記第一の開口と前記第二の開口との間において、前記両側壁のうちの少なくとも１つに設けられる少なくとも１つの構造強化手段をさらに含むことを特徴とする請求項１に記載の携帯式導尿器。
【請求項８】
前記携帯式導尿器は、前記第二の開口に隣接して前記両側壁のうちの少なくとも１つに接続される少なくとも１つのつまみ部をさらに含むことを特徴とする請求項１に記載の携帯式導尿器。
【発明の詳細な説明】
【技術分野】
【０００１】
本発明は、導尿器に関し、特に携帯式導尿器に関する。
【背景技術】
【０００２】
外出者にとって、トイレがない場合、どのようにして排泄問題を解決したらよいかは最も困惑する問題である。公衆トイレが見つかったとしても、公衆トイレが清潔、衛生的でないことはよくあるため、公衆トイレを利用する人は、大量のトイレットペーパーで便器を拭くか、便器に半立ちで座るか、便座上にたくさんのトイレットペーパーを敷くか何らかの工夫をする必要がある。洋式便器に半立ちで座ると、小便が飛び散ることによって大腿や服が汚されることがよくある。また、たくさんのトイレットペーパーを使用すると、資源が無駄になり環境に優しくない。さらに、女性利用者の多くは、公衆トイレの便器が不衛生で便座に座りたくない場合にはむしろ尿意を我慢するが、長時間尿意を我慢すると体の病気が引き起こされやすく、特に腎臓に対して極めて大きな負担になる。
【０００３】
そのため、利用者が公衆トイレで容易に使用可能であり、かつ使用時に便器に接触する必要がないような携帯式導尿器をどのように提供するかが、現在の重要な課題の一つである。
【発明の概要】
【発明が解決しようとする課題】
【０００４】
上記課題に鑑みて、本発明は、従来技術の欠点を克服するために、携帯式であって使用が容易であり、利用者が公衆トイレの便器に接触せずに尿を誘導することが可能な携帯式導尿器を提供する。
【課題を解決するための手段】
【０００５】
上記目的を達成するために、本発明の携帯式導尿器は、ガイド本体と、２つの接続手段とを含む。ガイド本体は、ガイド部と、第一の開口と、第二の開口とを備える。ガイド部は、例えば紙又はプラスチックである２つの側壁からなり、２つの側壁の底縁は密閉構造であり、第一の開口と第二の開口とがガイド部の両端に位置し、実質的に両側壁の両端が開放構造である。２つの接続手段が、それぞれガイド本体の第一の開口と第二の開口との間に配置される。２つの接続手段は、利用者が取り扱うために用いられ、第一の開口が利用者の尿を受け取り、ガイド部の誘導により第二の開口から尿を排出する。しかしながら、後で詳しく説明するように、本発明は他の使用方法であってもよい。
【０００６】
本発明による一実施例では、ガイド本体の両側壁の底縁から離れた部分は開放構造である。
【０００７】
本発明による一実施例では、２つの接続手段は、それぞれが折れ曲がった翼状部であり、２つの側壁から一方側にそれぞれ延びる。また、人体の曲線に合わせて２つの接続手段の上縁延長線と両側壁の底縁延長線とが成す角度は鈍角であるため、利用者が導尿器を容易に扱うことができる。
【０００８】
本発明による一実施例では、第一の開口の２つの接続手段に近い部分は、排泄口（又は外陰部）に接近して尿を受け取るための受け取り部である。受け取り部の上縁延長線と両側壁の底縁延長線とは、ほぼ平行である。
【０００９】
本発明による一実施例では、携帯式導尿器はさらに、上記の２つの折れ曲がった翼状部の少なくとも一部に設けられた接着層を含む。接着層は、その粘着力の強弱に応じて、利用者の指に粘着したり（粘着力が弱い）、他の補助接続手段を粘着したり（粘着力が強い）するようにして用いることができる。
【００１０】
本発明による一実施例では、２つの折れ曲がった翼状部の一端が、２つの側壁の外側又は内側にそれぞれ固定される。言い換えれば、折れ曲がった翼状部と側壁との間に、利用者の指を収容するための収容空間が形成される。
【００１１】
本発明による一実施例では、携帯式導尿器はさらに、上記の折れ曲がった翼状部に取り付けられる少なくとも１つの補助接続手段を含む。補助接続手段は、例えばリングである。
【００１２】
本発明による一実施例では、携帯式導尿器はさらに、両側壁の底縁と第一の開口との間に設けられ、第二の開口から尿を排出することを確保するストッパ部を含む。または、ストッパ部は、両側壁の底縁と第二の開口との間に設けられ、第一の開口から尿を排出することを確保する。
【００１３】
本発明による一実施例では、携帯式導尿器はさらに、第一の開口と第二の開口との間において、両側壁のうちの少なくとも１つに設けられる少なくとも１つの構造強化手段を含み、これにより導尿器の構造強度が向上し、使用時に変形し難くなる。
【００１４】
本発明による一実施例では、利用者が導尿器をつまんで扱うために、携帯式導尿器はさらに、第二の開口に隣接して、２つの側壁のうちの少なくとも１つに接続された少なくとも１つのつまみ部を含む。
【００１５】
本発明の有用な効果は、次のとおりである。本発明の携帯式導尿器は、構造が簡易であるため、適当な材質と組み合わせれば携帯が容易となり、接続手段を指で操作するだけで導尿器を容易に使用することができ、これにより利用者のトイレの利用に関する問題が衛生的に解決される。ガイド本体は両側壁の底縁を除いて全てが開放構造であるため、両側壁の両方から延びる接続手段により、利用者が携帯式導尿器の位置及び開口の大きさを安定的にかつ思い通りに調節することができ、清潔でない公衆トイレにおいて、利用者は、公衆トイレの便器に接触することなく尿を受けて便器内に導くことができる。
【図面の簡単な説明】
【００１６】
【図１】本発明の携帯式導尿器を示す模式図である。
【図２Ａ】図１の導尿器の使用方法を示す模式図である。
【図２Ｂ】図１の導尿器の使用方法を示す模式図である。
【図２Ｃ】図１の導尿器の使用方法を示す模式図である。
【図３】接着層が設けられた導尿器を示す模式図である。
【図４Ａ】一部に接着層が設けられた接続手段を示す模式図である。
【図４Ｂ】一部に接着層が設けられた接続手段を示す模式図である。
【図５】導尿器の折れ曲がった翼状部が収容空間を形成する様子を示す模式図である。
【図６】導尿器に設けられた補助接続手段を示す模式図である。
【図７Ａ】ストッパ部を備えた導尿器を示す模式図である。
【図７Ｂ】ストッパ部を備えた導尿器を示す模式図である。
【図８】構造強化手段を備えた導尿器を示す模式図である。
【図９】つまむためのつまみ部を備えた導尿器を示す模式図である。
【発明を実施するための形態】
【００１７】
以下に、図面を参照しながら、本発明による好ましい実施例の携帯式導尿器１０を説明する。なお、同じ部材に対しては、同じ符号を付して説明する。
【００１８】
図１に示すように、本発明の携帯式導尿器１０は、主に、女性利用者が公衆トイレの便器に接触せずに、トイレを容易に利用するために用いられる。ここで、携帯式導尿器１０の材質は、紙、プラスチック、金属、複合材料又は高分子材料などを含む。携帯式導尿器１０は、ガイド本体１１と２つの接続手段１２とを含み、ガイド本体１１は、ガイド部１１１を備え、ガイド部１１１の両端に、対向して設置された第一の開口Ｅ１及び第二の開口Ｅ２を備える。接続手段１２はそれぞれ、ガイド本体１１における第一の開口Ｅ１と第二の開口Ｅ１との間の位置に設けられる。
【００１９】
ガイド部１１１は、互いに結合される２つの側壁からなり、両側壁の底縁が互いに結合されて密閉構造を形成する。第一の開口Ｅ１と第二の開口Ｅ２とが、２つの側壁の結合部分の両端にそれぞれ位置し、両側壁は、両端（すなわち、第一の開口Ｅ１及び第二の開口Ｅ２）で実質的に開放しているため、両側壁の底縁から離れた部分は実質的に開放構造である。
【００２０】
接続手段１２がガイド本体１１に設けられ、接続手段１２は、利用者の取り扱いのために用いられ、例えば、接着、取り付け、又はガイド本体１１に一体的に成形されることができる。本実施例では、接続手段１２は、それぞれが折れ曲がった翼状部であり、両側壁の結合部分から離れた１つの側辺からそれぞれ延びる。本実施例では、接続手段１２の上縁延長線と２つの側壁の底縁延長線とが角度Ａ１を成し、角度Ａ１は鈍角である。他の実施例では、接続手段１２は、利用者が扱うための、例えばリングなどであってよい。
【００２１】
また、ガイド本体１１は、第一の開口Ｅ１の接続手段１２に近い箇所に受け取り部１３を有し、利用者が携帯式導尿器１０を使用する時に、排泄口（又は外陰部）に接近して尿を受け取るような役割を担う。受け取り部１３の上縁延長線と両側壁の底縁延長線とはほぼ平行であり、言い換えれば、折れ曲がった翼状部の上縁延長線と受け取り部１３の上縁延長線とがやはり鈍角を成し、それにより利用者が携帯式導尿器１０を使用する時に、携帯式導尿器１０を人体の曲線に合わせて使用することができる。
【００２２】
図２Ａ〜図２Ｃは、異なる角度から見た携帯式導尿器１０の使用方法を示す模式図であり、図２Ａは側面図であり、図２Ｂは平面図であり、図２Ｃは斜視図である。携帯式導尿器１０を使用する際に、利用者は指を接続手段１２に接して携帯式導尿器１０を取り扱い、携帯式導尿器１０の受け取り部１３を利用者の排泄口（又は外陰部）に接近させるとともに、接続手段１２を利用者の恥骨付近に近づけ、さらに２本の指で第一の開口Ｅ１の開口の大きさ及び位置を調節することにより、尿を受け取った後にガイド部１１１を介して第二の開口Ｅ２に導いて、第二の開口Ｅ２から排出させる。当然に、例えば、第一の開口Ｅ１で尿を受け取った後に、ガイド部１１１を経て第一の開口Ｅ１から尿を排出する別の使用方法も、本発明の携帯式導尿器１０の可能な使用方法の１つである。
【００２３】
以上のように、本発明の携帯式導尿器１０は、構造が簡易であるため、適当な材質と組み合わせれば携帯が容易となり、尿を誘導するように接続手段１２を指で調節することで携帯式導尿器１０を容易に使用することができ、これにより利用者のトイレ利用に関する問題が衛生的に解決される。以下で、図面を参照しながら本発明の携帯式導尿器１０の他の実施例の変形について説明する。
【００２４】
図３に示すように、上記との違いは、接続手段１２に接着層１４がさらに設けられる点であり、そして実際の使用に応じて、粘着性の異なる接着層１４を選ぶことができる。本実施例では、接着層１４は、粘着性の低い接着剤を選択し、接続手段１２（折れ曲がった翼状部）での側壁の外側に近い側に塗布される。利用者が使用する時に指が接着層１４に接触するため、携帯式導尿器１０をより安定して扱うことができる。接着層１４は、接続手段１２の一部だけに設けられてもよい。
【００２５】
次に、図４Ａ及び図４Ｂに示すように、接着層１４が接続手段１２の一部に設けられる他の実施例ではさらに、接着層１４が塗布された接続手段１２が側壁の内側又は外側に固定されて、接続手段１２と側壁との間に、利用者が指で保持するための収容空間Ｃ１（図５に示す）を形成することができる。本実施例では、接着層１４を側壁の外側に付ける例を挙げて説明している（図４Ｂに示す）。なお、接続手段１２を側壁に固定する方法は、接着層１４で接着する方法に限定されず、熱圧着、高周波などの接合技術を用いてもよい。
【００２６】
図６に示すように、接着層１４に補助接続手段１５、例えば強い構造のリングがさらに設けられてもよく、その材質は例えばプラスチックや金属などである。保持性能のよい補助接続手段１５によって、利用者は携帯式導尿器１０をより安定的かつ思い通りに扱うことができる。
【００２７】
携帯式導尿器１０は、さらにストッパ部１６を含むことができ、これは両側壁の底縁と第一の開口Ｅ１又は第二の開口Ｅ２との間に設けられ、利用者が第一の開口Ｅ１又は第二の開口Ｅ２から尿を排出するように扱えることを確保するために用いられる。図７Ａに示すように、ストッパ部１６が側壁の底縁と第一の開口Ｅ１との間に設けられると、使用時には尿がガイド部１１１に沿って第二の開口Ｅ２から排出され、利用者が多少誤った扱いをして尿が第一の開口Ｅ１に流れるとストッパ部１６に阻止されるため、角度の調整ミスにより第一の開口Ｅ１から排出されることがない。または、図７Ｂに示すように、ストッパ部１６が側壁の底縁と第二の開口Ｅ２との間に設けられると、尿が第一の開口Ｅ１から排出されることが確保される。
【００２８】
さらに、図８に示すように、携帯式導尿器１０は、さらに少なくとも１つの構造強化手段１７を含む。構造強化手段１７は、ストリップ状又は柱状などの構造的に強い形状とすることができ、第一の開口Ｅ１と第二の開口Ｅ２との間において、両側壁のうちの少なくとも１つに設けられ、それにより携帯式導尿器１０の構造強度が向上し、使用時に変形し難くなる。
【００２９】
図９に示すように、携帯式導尿器１０はさらに、第二の開口Ｅ２に隣接して、側壁の少なくとも１つに接続されたつまみ部１８を含むことができ、これは利用者が携帯式導尿器１０をつまんで扱うことで第二の開口Ｅ２の方向を調節するために用いられる。本実施例では、２つのつまみ部１８を例として示し、２つのつまみ部１８を一体に成形しても、又は相互に接着してもよいが、これらに限定されるものではない。
【００３０】
上記内容は実施例に過ぎず、本発明を限定するものではなく、本発明の趣旨及び範囲から逸脱することなく行われるいずれかの等価な変更又は変形は、全て本発明の範囲に含まれるべきである。
【符号の説明】
【００３１】
１０  携帯式導尿器
１１  ガイド本体
１１１  ガイド部
１２  接続手段
１３  受け取り部
１４  接着層
１５  補助接続手段
１６  ストッパ部
１７  構造強化手段
１８  つまみ部
Ａ１  角度
Ｃ１  収容空間
Ｅ１  第一の開口
Ｅ２  第二の開口
【図１】
0005986581.tif 000002
【図２Ａ】
0005986581.tif 000003
【図２Ｂ】
0005986581.tif 000004
【図２Ｃ】
0005986581.tif 000005
【図３】
0005986581.tif 000006
【図４Ａ】
0005986581.tif 000007
【図４Ｂ】
0005986581.tif 000008
【図５】
0005986581.tif 000009
【図６】
0005986581.tif 000010
【図７Ａ】
0005986581.tif 000011
【図７Ｂ】
0005986581.tif 000012
【図８】
0005986581.tif 000013
【図９】
0005986581.tif 000014